(57)【特許請求の範囲】
【請求項１】
ケースと、前記ケースの開口部を開閉可能に閉鎖する蓋部材とを有する血圧計本体と、
測定者の上腕を挿入して加圧するための腕帯部と
を有し、
前記腕帯部は、前記蓋部材により前記ケースの前記開口部を閉じた状態で、前記ケースと前記蓋部材とにより形成される収納空間内に折り畳んで収納されており、
前記腕帯部には、前記蓋部材を開いて前記ケースの前記開口部を開放する操作に伴い、折り畳まれた前記腕帯部の形状を、前記上腕が挿入可能な状態に復帰させる腕帯部形状復帰用部材を有し、
前記腕帯部は、空気が供給されることで前記上腕を加圧する空気袋と、前記空気袋の外側を覆う外側部材とを有し、前記蓋部材を開いて前記ケースの前記開口部を開放したことを検知して検知信号を発生する検知部と、前記検知部からの前記検知信号により空気が供給される前記腕帯部形状復帰用部材としての腕帯部形状復帰用の補助空気袋とを有する
ことを特徴とする電子血圧計。
【請求項２】
前記外側部材には、前記腕帯部形状復帰用部材が固定されていることを特徴とする請求項１に記載の電子血圧計。
【請求項３】
前記蓋部材を前記ケースに対して回転可能に前記蓋部材の開閉を支持するヒンジを有し、前記腕帯部は前記腕帯部を折り畳むための複数の折り曲げ部分を有し、前記腕帯部の前記折り曲げ部分の内の１つの前記折り曲げ部分が、前記ヒンジの付近に配置されていることを特徴とする請求項１または２に記載の電子血圧計。
【発明の詳細な説明】
【技術分野】
【０００１】
本発明は、電子血圧計に関し、特に血圧測定する時には折り畳まれた腕帯部を展開して測定者が上腕を挿入できるように保持でき、血圧測定しない時には腕帯部を折り畳んで収納可能な電子血圧計に関する。
【背景技術】
【０００２】
近年、医療機関で行われている高血圧治療向けの血圧測定において、白衣性高血圧症による擬似高血圧が問題にされている。この擬似高血圧症の原因としては、病院内での医師の前での緊張、不安等の精神面での不安定が考えられている。これに対して、精神的に安定している家庭にて一人で測定した血圧値に注目が集まっている。このため、この家庭血圧測定に用いる一人で測定するタイプの電子血圧計が注目されている。
電子血圧計としては、測定者が血圧を測定する際には腕帯部を上腕の測定部位に簡単に装着でき、しかも電子血圧計を使用しない時にはかさばらずに大きな収納場所を必要としないものが提案されている（特許文献１を参照。）。特許文献１に記載されている電子血圧計は、ケースと、このケースを閉じるためにヒンジで取り付けられたカバーと、ケース側に配置されてカバーと閉じると折り畳み可能なカフを備えている。
【０００３】
このケース側に配置されたカフは、リンク部材や複数の板部材を用いてカバーの内側に連結されている。リンク部材は、第１リンク棒と第２リンク棒から成り、第１リンク棒の一端部と第２リンク棒の一端部はピンにより回転可能に連結されている。第１リンク棒の他端部はカフ側の板部材に連結され、第２リンク棒の他端部はカバーの内側に連結されている。これにより、このカバーをヒンジによりケースに対して回転してケースを閉じると、このカフがカバーに連動するリンク部材により機械的に押されて、ケースとカバーの中に折り畳まれる。逆に、カバーを開けると、カフはカバーに連動するリンク部材により略円筒状に開かれるようになっている。
【先行技術文献】
【特許文献】
【０００４】
【特許文献１】特開２００２−１０２１８１号公報
【発明の概要】
【発明が解決しようとする課題】
【０００５】
ところが、特許文献１に記載されている電子血圧計では、カフを円筒状に展開する操作はケースに対してカバーを開く動作に連動し、カフをケース内に収納する操作は、ケースに対してカバーを閉じる動作に連動しており、カバーの開閉に連動するリンク部材が必要であり、機構部品の点数が多く構造が複雑で重く、電子血圧計の大型化が避けられない。
そこで、本発明は、上記課題を解消するために、構造が簡単であるにもかかわらず、腕帯部の展開操作と腕帯部の収納操作が容易にしかも確実に行え、小型化を図ることができる電子血圧計を提供することを目的とする。
【課題を解決するための手段】
【０００６】
本発明の電子血圧計は、ケースと、前記ケースの開口部を開閉可能に閉鎖する蓋部材とを有する血圧計本体と、測定者の上腕を挿入して加圧するための腕帯部とを有し、前記腕帯部は、前記蓋部材により前記ケースの前記開口部を閉じた状態で、前記ケースと前記蓋部材とにより形成される収納空間内に折り畳んで収納されており、前記腕帯部には、前記蓋部材を開いて前記ケースの前記開口部を開放する操作に伴い、折り畳まれた前記腕帯部の形状を、前記上腕が挿入可能な状態に復帰させる腕帯部形状復帰用部材を有することを特徴とする。
上記構成によれば、構造が簡単であるにもかかわらず、ケース開口部を開閉するだけで、腕帯部の展開操作と腕帯部の収納操作が容易にしかも確実に行え、電子血圧計の小型化を図ることができる。
【０００７】
本発明の電子血圧計では、前記腕帯部は、空気が供給されることで前記上腕を加圧する空気袋と、前記空気袋の外側を覆う外側部材とを有し、前記外側部材には、前記腕帯部形状復帰用部材が固定されていることを特徴とする。
上記構成によれば、腕帯部には腕帯部形状復帰用部材が固定されているので、蓋部材を開けることで、腕帯部は上腕を挿入できる形状に確実に展開できる。
【０００８】
本発明の電子血圧計では、前記腕帯部は、空気が供給されることで前記上腕を加圧する空気袋と、前記空気袋の外側を覆う外側部材とを有し、前記蓋部材を開いて前記ケースの前記開口部を開放したことを検知して検知信号を発生する検知部と、前記検知部からの前記検知信号により空気が供給される前記腕帯部形状復帰用部材としての腕帯部形状復帰用の補助空気袋と、を有することを特徴とする。
上記構成によれば、蓋部材を開けたことを検知して腕帯部形状復帰用の補助空気袋に空気を送ることで、腕帯部は上腕を挿入できる形状に確実に展開できる。
【０００９】
本発明の電子血圧計では、前記蓋部材を前記ケースに対して回転可能に前記蓋部材の開閉を支持するヒンジを有し、前記腕帯部は前記腕帯部を折り畳むための複数の折り曲げ部分を有し、前記腕帯部の前記折り曲げ部分の内の１つの前記折り曲げ部分が、前記ヒンジの付近に配置されていることを特徴とする。
上記構成によれば、蓋部材がヒンジを介して開閉することで、ヒンジの付近にある腕帯部の１つの折り曲げ部分を基点として腕帯部を折り畳んだり、腕帯部の形状を展開することができる。
【発明の効果】
【００１０】
本発明によれば、構造が簡単であるにもかかわらず、腕帯部の展開操作と腕帯部の収納操作が容易にしかも確実に行え、小型化を図ることができる電子血圧計を提供することができる。
【図面の簡単な説明】
【００１１】
【図１】本発明の電子血圧計の実施形態１の収納状態を示す斜視図である。
【図２】図１の電子血圧計の腕帯部を用いて血圧測定する状態を示す斜視図である。
【図３】図１の電子血圧計の収納状態を示す側面図である。
【図４】図１の電子血圧計の腕帯部を用いて血圧測定する状態を示す側面図である。
【図５】腕帯部の構成を示す分解斜視図である。
【図６】腕帯部の構成を示す一部切り欠いた側面図である。
【図７】図７（Ａ）は、外布と内布と空気袋から成る腕帯部２を示す斜視図であり、図７（Ｂ）は、この腕帯部を別の方向から見た斜視図であり、図７（Ｃ）は、腕帯部を折りたたんだ状態を示す斜視図である。
【図８】図８（Ａ）は、空気袋とマイクロフォンを示す斜視図であり、図８（Ｂ）は、空気袋と外布と内布と、マイクロフォンを示す図である。
【図９】空気袋を形成するためのシート例を示す図である。
【図１０】図１の電子血圧計のブロック構成図である。
【図１１】本発明の電子血圧計の実施形態２の腕帯部を用いて血圧測定する状態を示す斜視図である。
【図１２】腕帯部の構成を示す断面を有する側面図である。
【発明を実施するための形態】
【００１２】
以下に、本発明の好ましい実施形態を、図面を参照して詳しく説明する。
（実施形態１）
以下に、本発明の好ましい実施形態を、図面を参照して詳しく説明する。
図１は、本発明の電子血圧計の実施形態１の収納状態を示す斜視図であり、図２は、図１の電子血圧計の腕帯部を用いて血圧測定する状態を示す斜視図である。図３は、図１の電子血圧計の収納状態を示す側面図であり、図４は、図１の電子血圧計の腕帯部を用いて血圧測定する状態を示す側面図である。
図１〜図４に示す電子血圧計１は、自動電子血圧計ともいい、図２と図４に示すように、電子血圧計１は、腕帯部２と血圧計本体１０を有している。この電子血圧計１は、血圧測定方式の一例としてリバロッチ・コロトコフ法が用いられ、コロトコフ音（Ｋ音）を検出して血圧測定を行う装置である。図２と図４に示す電子血圧計１の腕帯部２は、変形可能でソフトなほぼ矩形の開口部を有する筒体であり、図１と図３に示すように腕帯部２は折り畳むことで、血圧計本体１０の収納空間内に収納可能である。
【００１３】
図２に示すように、この電子血圧計１の腕帯部２は、測定者の上腕Ｔを腕帯部２の挿入開口１１Ｒから、Ｄ１方向に沿って挿入して血圧を測定する方式である。腕帯部２と血圧計本体１０とは有線（電気信号線）３により電気的に接続され、しかも腕帯部２と血圧計本体１０とがエアーの給排気路であるフレキシブルなチューブ４により接続されている。
【００１４】
まず、図１と図３を参照して、血圧計本体１０の構造について説明する。
図１と図３に示すように、血圧計本体１０は、ケース２０と蓋部材２１を有している。ケース２０と蓋部材２１は、例えばプラスチック製の薄型の内部の収納空間を形成する部材である。ケース２０は、４つの側面部２０Ａ，２０Ｂ，２０Ｃ，２０Ｄと、底面部２０Ｅと表面部２０Ｆを有している。側面部２０Ａ，２０Ｃは対向しており長方形状を有する。図１と図２に示すように、側面部２０Ｂ，２０Ｄも対向しており、側面部２０Ｂは切り欠き部２０Ｇを有し、側面部２０Ｄは切り欠き部２０Ｈを有している。切り欠き部２０Ｇ、２０Ｈは同様のほぼ長方形状に切り欠かれた部分である。底面部２０Ｅの面積は表面部２０Ｆの面積に比べて大きく、図２と図４に示すように、底面部２０Ｅと側面部２０Ｂ，２０Ｃ，２０Ｄと内面部２０Ｊは、後で説明する腕帯部２を収納するための収納空間Ｓ１を形成している。
【００１５】
図１と図２に示すように、ケース２０の表面部２０Ｆには、表示部３１が配置されており、測定者が表示部３１の表示内容を容易に確認できるようになっている。表面部２０Ｆには、測定開始操作部の一例としての開始／停止ボタン３７と、メモリ呼び出し・時刻・アラーム設定ボタン３８と、モード選択ボタン３９が設けられている。測定者が開始／停止ボタン３７を押すことで、血圧測定操作の開始あるいは停止をするためのボタンである。
【００１６】
図１において、時刻を設定する場合には、例えば、メモリ呼び出し・時刻・アラーム設定ボタン３８とモード選択ボタン３９を同時に長押しすることで、操作・設定・入力機能として作用させることにより、表示部３１には時刻設定画面が表示され、時刻設定画面に表示されている時刻は、メモリ呼び出し・時刻・アラーム設定ボタン３８で選択しながら設定することができる。
【００１７】
また、図１において、例えばメモリ呼び出し・時刻・アラーム設定ボタン３８を押すことにより、過去の例えば１００件の血圧測定記録を表示部３１に表示できる。表示部３１に表示される各件の最高血圧値、最低血圧値、脈拍数、日時が、メモリ呼び出し・時刻・アラーム設定ボタン３８を押す毎に順番に表示できる。
この表示部３１は、例えば液晶表示装置を用いることができ、一例として図１に示すように、表示部３１は、最高血圧値、最低血圧値、脈拍数、脈圧、測定動作中の表示マーク、電池交換の表示マーク等の各種の測定値等を表示することができる。
図１に示すように、ケース２０の内部には、スピーカ４３と、２つのポンプ４４，４５と、排気バルブ４６と、制御バルブ４７と、制御システムを含む回路基板４８と、メモリ部６９が配置されている。スピーカ４３は、音声によるガイドや音楽によるガイドを出力するために設けられている。
【００１８】
図１と図２に示す蓋部材２１は、表面部２１Ａと側面部２１Ｂ、２１Ｃ、２１Ｄ、２１Ｅを有している。これらの表面部２１Ａと側面部２１Ｂ、２１Ｃ、２１Ｄ、２１Ｅは、腕帯部２を収納するための収納空間Ｓ２を形成している。表面部２１Ａは、ケース２０の底面部２０Ｅに対面し、側面部２１Ｄはケース２０の内面部２０Ｊに対面する。側面部２１Ｃ、２１Ｅは対向しており、側面部２１Ｃ、２１Ｅはそれぞれケース２０の切り欠き部２０Ｇ、２０Ｈを閉じる部分である。蓋部材２１の側面部２１Ｂの端部と、ケース２０の側面部２０Ｃの端部は、ヒンジ２３により連結されている。
これにより、蓋部材２１は、ケース２０の開放された収納空間Ｓ１を閉じることで、腕部材２は、この蓋部材２１により押されて図１と図３に示すようにケース２０側の収納空間Ｓ１と蓋部材２１側の収納空間Ｓ２内において、ほぼ平坦状に折り畳まれた状態で完全に収納可能である。
【００１９】
図１と図３に示すように、蓋部材２１の表面部２１Ａには、測定者が蓋部材２１をＲ方向に沿って開閉する際に把持する把持部２２を有している。また、図２と図４に示すように、蓋部材２１の側面部２１Ｄには、金属板２１Ｆが取り付けられている。これに対して、ケース２０の内面部２０Ｊにはマグネット２０Ｍが取り付けられている。これにより、図３に示すように、蓋部材２１がケース２０の開口部２０Ｐを閉じた状態では、金属板２１Ｆがマグネット２０Ｍにより磁気的に吸引されることで、蓋部材２１がケース２０側に磁気的に固定されるので、蓋部材２１が折り畳まれた腕帯部２の反発力により不用意にＲ１方向に開いてしまう現象を防止している。
【００２０】
次に、図１〜図６を参照して、腕帯部２の構造について説明する。
図１に示すように、腕帯部２は、血圧測定時に測定者の上腕Ｔを矩形の開口部１１Ｒから挿して矩形の開口部１１Ｐから出した状態で圧迫するために、上腕Ｔを差し込むことが可能な両端部が切れたほぼ筒状構造（筒体）を有している。これにより、この腕帯部２は、通常の腕帯部と異なり測定者の上腕Ｔに対して巻き付ける必要が無く、左右のいずれの上腕Ｔへの挿入が可能で、測定者は容易に血圧測定ができる。
【００２１】
図２と図４に示すように、腕帯部２は、変形可能でソフトな筒体であり、軽量に作られている。この腕帯部２は、空気袋（カフともいう）１４と、外布１６と、内布１７を有している。外布１６は、空気袋１４の外側を覆うことができる外側部材であり、内布１７は、空気袋１４の内側を覆うことができる内側部材である。ここで、内布１７には、伸縮性に富んだ物を使用し、外布１６は変形するが、内布１７よりの伸縮性が低く、好ましくは殆ど伸縮しない物を用いることが好ましい。外布１６は外布カバーともいい、内布１７は内布カバーともいう。外布１６と外布１７は、共に好ましくは筒状の部材（筒体）である。
外布１６は、空気袋１４を収納するように内布１７の外側に接合され、変形可能であるが伸縮性の無い布部材で形成された外側部材である。外布１６は、変形可能であるが伸縮性が非常に低いかほとんど無い布部材である例えば伸びにくい生地（２０１ＢＥ）を採用でき、引張強度は、ＪＩＳ  Ｌ１０９６−Ａ法で測定した値として、タテが１４４５Ｎ／ｉｎで、ヨコが８２７Ｎ／ｉｎである。外布１６としては、例えば、ポリエステル１００％の生地を用いることができる。
【００２２】
内布１７は、空気袋１４の内面を覆う筒体でなり変形可能で伸縮性を有し、上腕Ｔの被測定面に当接する当接布部である。内布１７は、変形可能で伸縮性を有する布部材である例えば伸びやすい生地を採用でき、引張強度は、ＪＩＳ  Ｌ１０９６−Ａ法で測定した値として、タテが９４．９Ｎ／ｉｎで、ヨコが１５０．７Ｎ／ｉｎである。引張伸度は、ＪＩＳ  Ｌ１０９６−Ａ法で測定した値として、タテが５１７％で、ヨコが４００％である。内布としては、例えば、ナイロン８０％、ポリウレタン２０％の生地である。
【００２３】
図５は、腕帯部２の構成を示す分解斜視図であり、図６は、腕帯部２の構成を示す一部切り欠いた側面図である。
図５と図６に示すように、外布１６は、空気袋１４の外側に配置され、内布１７は、空気袋１４の内側に配置されている。図６に示す外布１６と内布１７は、両側の接合部分７７により接合され、外布１６と内布１７で形成された空間内には空気袋１４が収納されている。両側の接合部分７７は、糸を用いた縫い合わせや、接着剤を用いた接着により形成されている。
【００２４】
また、図６に示すように、外側部材である外布１６の上腕を通す方向Ｄ１に沿った幅Ｓから、空気袋１４の上腕を通す方向Ｄ１に沿った幅Ｗを引いた値は、好ましくは４ｃｍ以下である。このように、（幅Ｓ−幅Ｗ）の値を４ｃｍ以下に設定するのは、空気袋１４は、外布１６に対して止めておらず、外布１６の寸法に余裕を持たせて、空気袋１４の膨張と収縮に対応できるようにするためである。もしも、（幅Ｓ−幅Ｗ）の値が４ｃｍを超えると、空気袋１４が外布１６と内布１７とで形成される空間内で移動する可能性があるので、好ましくはない。
【００２５】
例えば、図２に示す左腕の上腕ＴをＤ１方向に挿入し、あるいは逆方向に上腕Ｔを外す動作は、ケース２０を例えば机の上に置いた状態で行うことができる。また、右腕の上腕ＴをＤ１方向に挿入し、あるいは逆方向に上腕Ｔを外す動作は、ケース２０を例えば机の上に置いた状態で行うことができる。これにより、測定者は左右いずれの上腕Ｔに対しても、腕帯部２の装着動作あるいは取り外し動作を容易に行うことができる。
【００２６】
図５と図６に示す空気袋１４は、例えば、塩化ビニル，ポリウレタン、合成ゴム，天然ゴム等の材質で形成されている。空気袋１４内へは、図１に示す血圧計本体１０内の破線で示すポンプ４４，４５の作動により、図２に示すチューブ４を通じてエアーを供給されることにより膨張することで上腕Ｔを圧迫する。空気袋１４の内圧を一定速度で減圧するため、制御バルブ４７により空気袋１４内からエアーを徐々に外へ排気でき、測定を終了したときに、排気バルブ４６により空気袋１４内からエアーを外へ急排気できる。この空気袋１４の詳しい構造については、後で説明する。
【００２７】
次に、図５と図６を参照して、腕帯部２の外布１６に配置された腕帯部形状復帰用部材１５０について説明する。
この腕帯部形状復帰用部材１５０は、図１に示すように腕帯部２が収納された状態から、図２に示すように蓋部材２１をＲ方向に開けて腕帯部２の拘束状態を開放した時に、腕帯部２が折り畳まれて収納された状態から、図２に示すような使用状態に自動的に形状を復帰できるようにするための部材である。
【００２８】
図３と図４に示す例では、２つの腕帯部形状復帰用部材１５０が、外布１６の開口部１１Ｒ側の位置と、開口部１１Ｐ側の位置に配置されている。腕帯部形状復帰用部材１５０は、例えば帯状部材であり、外布１６の外面側に例えば接着剤により全周囲にわたって固定されている。この腕帯部形状復帰用部材１５０は、蓋部材２１で加圧した時に弾性変形が可能で腕帯部２を折り畳むことができ、蓋部材２１の加圧状態が開放された場合には腕帯部２を折り畳んだ状態から、図２と図４に示すように腕帯部２の形状を自動的に形状を自己復帰させるための復帰力を発揮する。
【００２９】
このような自己復帰機能を持たせるために、腕帯部形状復帰用部材１５０の材質としては、所定の温度以上で、展張して、所定の剛性および弾性を発揮できる材料、例えば金属材、２種類以上の金属の合金、プラスチック等を採用できる。
本実施形態では、自己復帰機能を発揮するために、腕帯部形状復帰用部材の材質を選択して形状記憶材料を用いることとし、その変態温度に達した時に所定の剛性を発揮して、記憶させた形状を回復させている。
ここで、このような形状回復するための変態温度すなわち、形状回復温度としては、外気温より高く、体温より低い温度が良いので、例えば、２０℃〜３７℃の範囲で設定される。より好ましくはこの形状回復温度は、２５℃〜３０℃程度とされる。
腕帯部形状復帰用部材の材料として金属を選択する場合の好適な合金として、ニッケル―チタン合金が挙げられ、ニッケル―チタン合金の場合、Ｎｉ濃度が増加すると、変態温度が低下する。Ｎｉ組成が５５％〜５６％のとき、２５℃〜４０℃範囲内で変態温度を設定できる。
腕帯部形状復帰用部材の材料として合成樹脂材料を用いる場合には、ポリブチレンサクシネート（ＰＢＳ）と呼ばれるものに有機高分子を合成して作ったものや、形状記憶性ポリ乳酸など、その他形状記憶樹脂と呼ばれるものを種々選択することができる。
このように、例えば、腕帯部形状復帰用部材の材料として、形状記憶金属材料を選ぶと、ニッケル―チタン合金、または、鉄−マンガン―ケイ素系合金等を選択して、マルテンサイト変態点を上述した血圧計使用環境に記憶設定することにより、収納部１６から腕帯部２を取り出すと、記憶された形状に展張され、軟らかい腕帯部２が、所定の剛性を得ることができるので、測定時の取り扱いが容易となる。
また、腕帯部形状復帰用部材として、ステントに用いられる材料を採用することができる。ステントとは、人体の管状の部分（血管、気管、食道、十二指腸、大腸、胆道など）を管腔内部から広げる医療機器であり、例えば、金属でできた網目の筒状のものである。その材料に上述の形状記憶材料を用いることで、腕帯部形状復帰用部材として応用することができる。
さらに、冬など気温が低い状況下の使用のとき、腕帯部２の腕帯部形状復帰用部材１５０近傍に、面状ヒーターやニクロム線を設け（不図示）、発熱させることで、腕帯部形状復帰用部材１５０を早く形状回復可能な状態にすることができる。
なお、腕帯部形状復帰用部材１５０は、例えば線状体を所定のパターンに形成できるが、これに限らず板状部材を打ち抜いて形成することもできる。また、腕帯部形状復帰用部材１５０は、単純な形状の板状部材を用いることもできる。いずれにしても、腕帯部形状復帰用部材１５０の形状や製造方法は特に限定されない。線状体の場合、ニッケル―チタン合金の線径は０．３〜１．０ｍｍであれば所定の剛体及び弾性を発揮できる。板状部材の場合、厚み５０〜１００μｍ、幅８０〜１５０ｍｍであれば所定の剛体及び弾性を発揮できる。線状体、板状部材のどちらの場合でも、腕帯部２の円周上に略１周形成されているが、これに限らず一部スリットを有していてもよいし、数回巻かれていてもよい。
【００３０】
図２と図４に示すように、腕帯部２は、好ましくは次のようにしてケース２０側と蓋部材２１側に固定されている。
腕帯部２の１つの側面２Ｐが蓋部材２１内に配置された固定用部材２１Ｗに対して、例えば接着剤により固定され、腕帯部２のもう１つの側面２Ｑがケース２０内に配置された固定用部材２０Ｗに対して、例えば接着剤により固定されている。そして、腕帯部２の１つの折り曲げ部分２００は、ヒンジ２３に沿って配置されている。この腕帯部２の１つの折り曲げ部分２００は、上述した腕帯部２の１つの側面２Ｐと、もう１つの側面２Ｑとの間に形成されている折り曲げ部分である。
これにより、測定者がケース２０から蓋部材２１を、ヒンジ２３を回転中心としてＲ１方向に開けることで、蓋部材２１の開ける動作に連動して、ケース２０と蓋部材２１の中から腕帯部２を露出させて形状を展開することができる。この腕帯部２の形状展開動作の際には、腕帯部形状復帰用部材１５０の復帰力により腕帯部２を、血圧測定が実施できるように筒状に確実に自動的に展開させることができるようになっている。従って、図２に示すように測定者は、上腕Ｔを展開済みの腕帯部２に対して、簡単にしかも確実に挿入して血圧測定を行うことができる。
【００３１】
図７（Ａ）は、外布１６と内布１７と空気袋１４から成る腕帯部２を示す斜視図であり、図７（Ｂ）は、この腕帯部２を別の方向から見た斜視図であり、図７（Ｃ）は、腕帯部２を折りたたんだ状態を示す斜視図である。
図７（Ａ）と図７（Ｂ）に示すように、腕帯部２は４つに折り曲げてほぼ正方形断面の開口部Ｇを形成することができる。腕帯部２は４つの折り曲げ部分２００を有していることにより、図７（Ｃ）に示すように簡単に折りたたむことができる構造である。
図８（Ａ）は、空気袋１４とマイクロフォンＭを示す斜視図であり、図８（Ｂ）は、空気袋１４と外布１６と内布１７と、マイクロフォンＭを示す図である。図８に示すように、２つのマイクロフォンＭが空気袋１４に取り付けられ、２つのマイクロフォンＭは互いに向かい合っている。
【００３２】
ここで、空気袋１４の構造例を説明する。
図９は、空気袋１４を形成するためのシート例を示している。
図９に示すシートＳＷは、ほぼ長方形状の例えば透明のプラスチックシートであり、一例としてポリウレタンシートにより形成されている。このシートＳＷは、フィルタ付き接続管２２０、コードフック２２１、４つの折れ線部分２２２、接合部分２２３，２２４、２つのマイクロフォン保持部２２５を有している。
接続管２２０は、図２に示すチューブ４の端部を接続する。コードフック２２１は、図２に示す有線３とチューブ４を掛ける。接合部分２２３，２２４は熱圧着により空気袋１４を形成する。マイクロフォン保持部２２５はそれぞれマイクロフォンＭを保持できる。シートＳＷは４つの折れ線部分２２２の部分で折り曲げることにより、図８に示す形状の空気袋１４を形成できる。
【００３３】
図９（Ｂ）に示すように、空気袋１４の幅（短手方向の幅）Ｗは、好ましくは１２ｃｍ以上である。この理由としては、空気袋１４の内面側が測定者の被測定面に対して少なくとも８ｃｍ以上当接していないと、正しい血圧測定ができないので、空気袋１４の内面側が８ｃｍ以上接しているためには、空気袋１４の幅Ｗは１２ｃｍ以上必要である。もし、空気袋１４の幅Ｗは１２ｃｍ未満であると、正確な血圧測定ができなくなる恐れがある。
【００３４】
次に、図１０は、図１の電子血圧計１のブロック構成図である。
図１０に示す電子血圧計１の回路ブロックを説明する。電子血圧計１の回路ブロックを示している。電子血圧計１の回路ブロックの破線で示すように、血圧計本体１０は、コロトコフ音（Ｋ音）検出システム５０と、加圧システム５１と、排気システム５２と、圧力検出システム５３と、電源システム５４と、音声システム５５と、制御システム５６を有する。
【００３５】
制御システム５６は、表示部３１の駆動部５８と、タイマ５９と、メモリ部６９等を有する。表示部３１の駆動部５８は、表示部３１を駆動制御して表示すべき項目を表示させる。メモリ部６９は、制御システム５６のＣＰＵ（中央処理部）により処理すべきプログラムが記憶されているＲＯＭ（読み出し専用メモリ）である。タイマ５９は、各種の動作の時間のカウントを行う。操作部５７は、制御システム５６に電気的に接続されており、すでに説明した開始／停止ボタン３７と、音量ボタン３８と、モード選択ボタン３９を有している。
【００３６】
図１０のコロトコフ音（Ｋ音）検出システム５０は、腕帯部２の２つのマイクロフォンＭと、Ｋ音検出回路部６０と、ノイズセンサ１５と、ノイズセンサ検出回路部６１を有している。２つのマイクロフォンＭは、Ｋ音検出回路部６０を介して制御システム５６に電気的に接続されている。図１に示すように、２つのマイクロフォンＭは、開口部１６に対して互いに対向した位置（上腕Ｔの動脈に近い位置と遠い位置）に配置されている。
【００３７】
図１０の２つのマイクロフォンＭは、測定者の血流音（血管情報）を検知し、Ｋ音検出回路部６０はこの血流音からＫ音を検出して制御システム５６にＫ音信号を伝える。制御システム５６は、入力されたＫ音信号からコロトコフ音と、このコロトコフ音の発生ポイントと、消滅ポイントを検出する。ノイズセンサ１５は、外部からマイクロフォンＭに入る振動ノイズを検知して、ノイズセンサ検出回路部６１を介して制御システム５６にノイズ信号を送る。これにより、制御システム５６は、Ｋ音信号からノイズを除去することで、Ｋ音検出信号の精度を高めている。
【００３８】
図１０に示す圧力検出システム５３は、配管部６３と、圧力センサ６４と、チューブ４により構成されている。圧力センサ６４は、アンプ、フィルタ、積分Ａ／Ｄ部６５を介して制御システム５６に電気的に接続されている。制御システム５６は、Ｋ音信号を検出する。
すなわち、加圧して血管内の血流を止めた後に減圧し、再び血流が流れる時の最初のＫ音信号が検出された時点の圧力を最高血圧値に設定し、更に減圧を続けて血管の管路断面積が十分に拡がり、Ｋ音信号が検出されなくなったら、最後のＫ音信号が検出された時点の圧力を最低血圧値に設定する。また、制御システム５６は、最高血圧値と最低血圧値から得られる血管脈動またはＫ音信号の出現間隔から脈拍数を演算する。
【００３９】
加圧システム５１は、ポンプ４４，４５と、ポンプの駆動部６２を有する。制御システム５６の指令により、駆動部６２は、ポンプ４４，４５を駆動制御する。ポンプ４４，４５は、圧力検出システム５３の配管部６３を通じて腕帯部２の空気袋内に接続されている。
電子血圧計１では、腕帯部２内をポンプ４４，４５で加圧した後、微速度で排気して減圧しつつ圧力センサ６４を用いて腕帯部２の空気袋内の圧力を検出すると同時に、マイクロフォンＭを用いてコロトコフ音（Ｋ音）を検出する。そして、電子血圧計１は、Ｋ音信号と、このＫ音信号の発生ポイントと消滅ポイントを検出することで、最高血圧値と最低血圧値を算出して、算出した最高血圧値と最低血圧値を表示部３１に表示できる。
【００４０】
次に、排気システム５２について説明する。排気システム５２は、２つの駆動部６６，６７と、排気バルブ（強制排気部）４６と、制御バルブ（減圧制御部）４７を有する。排気バルブ４６と制御バルブ４７は配管部６３の途中に配置されている。制御システム５６が駆動部６６に指令をすることで、排気バルブ４６の開閉を行い、制御システム５６が駆動部６７に指令をすることで、制御バルブ４７の開閉を行う。  
【００４１】
電源システム５４は、電池６８と、電源コントロール部６９Ｃと、電源監視部７０を有する。電池６８は、繰り返して充電可能な例えばリチウムイオン電池であるが、特に種類は限定されず、乾電池等でも良い。電池６８の電圧は、電源コントロール部６９Ｃにより制御されて制御システム５６に供給されるとともに、ポンプ４４，４５の駆動電源、音声制御部７１へ供給する電源でもある。電源監視部７０は、電池６８の残量等の監視を行う。また、ＡＣアダプタを用いることで１００Ｖの商用電源を用いることができる。  
【００４２】
音声システム５５は、音声制御部７１と、増幅部７２を有している。音声制御部７１と増幅部７２は、制御システム５６からの指令により制御される。音声制御部７１は、制御システム５６の指令により、音声によるガイダンスデータもしくは音楽データを増幅部７２に送って増幅することで、スピーカ４３は音声によるガイド用のアナウンスと音楽によるガイド用のアナウンスを発生することができる。
【００４３】
次に、上述した電子血圧計１を用いて、血圧測定プログラムの手順に従って、血圧測定を行う例を説明する。
血圧測定プログラムでは、モード選択ボタン３９を繰り返して押すことにより、例えば通常モードＭ１、最高血圧モードＭ２、最低血圧モードＭ３を選択可能である。以下に、これらのモードを順番に説明する。
（通常モードＭ１）
図１と図３に示すように電子血圧計１の蓋部材２１は閉じており、血圧計本体１０の収納空間Ｓ１、Ｓ２内には腕帯部２が予めほぼ平坦状に折り畳んで収納されている。腕帯部２が収納されている状態では、腕帯部２は、その４つの折り曲げ部分２００の内の２つの折り曲げ部分２００，２００ではほぼ平らに延ばされ、しかも腕帯部２は、残りの２つの折り曲げ部分２００，２００ではほぼ１８０度折り曲げられていることにより、押しつぶされたようにしてコンパクトに収納されている。
【００４４】
測定者が血圧測定を行う場合には、この血圧計本体１０を例えば机の上において、把持部２２を持って蓋部材２１を、ヒンジ２３を介してＲ１方向にほぼ９０度開ける。測定者がケース２０から蓋部材２１をＲ１方向に開けることで、蓋部材２１の開ける動作に同期して、ケース２０と蓋部材２１の中から腕帯部２を露出させて形状を展開することができる。この腕帯部２の形状展開動作の際には、腕帯部形状復帰用部材１５０の復帰力により腕帯部２を、血圧測定が実施できるように、断面矩形の筒状の部材になるように自動的に確実に展開させることができる。従って、図２に示すように測定者は上腕Ｔを腕帯部２に対して簡単に確実に挿入して血圧測定を行うことができる。
【００４５】
次に、図２に示すように、測定者は、断面矩形の筒状の部材に展開された腕帯部２内に右の上腕を開口部１１Ｒから挿入する。測定者が図１に示すモード選択ボタン３９を押して通常モードＭ１を選択した場合には、測定者は図１の開始／停止ボタン３７を押して血圧測定を開始する。図１のポンプ４４，４５が全速力で空気袋１４を昇圧して、２つのマイクロフォンＭが、測定者の血流音（血管情報）を検知して脈が消滅するまで全速力で腕帯部２内の空気袋１４を昇圧する。制御システム５６が脈の消失を判断したら腕帯部２内の昇圧を停止する。
そして、腕帯部２内を少しずつ減圧（例えば２〜５ｍｍＨｇ／秒）していき、最高血圧値と最低血圧値を検出する。最高血圧値と最低血圧値を図１の表示部３１に表示して、ポンプ４４，４５と排気バルブ４６を作動して腕帯部２内の空気袋１４を急排気する。
このように、最高血圧値と最低血圧値を表示部３１に表示できた時点で、腕帯部２内の空気袋１４を急排気することで、測定者の上腕に対する圧迫を即座に解消できるので、測定者への負担を軽減できる。
【００４６】
（最高血圧モードＭ２）
測定者は、断面矩形の筒状の部材に展開された腕帯部２内に、右の上腕を開口部１１Ｒから挿入する。測定者が図１に示すモード選択ボタン３９を押して最高血圧モードＭ２を選択した場合には、測定者は図１の開始／停止ボタン３７を押して血圧測定を開始する。図１のポンプ４４，４５が全速力で空気袋１４を昇圧して、２つのマイクロフォンＭが、測定者の血流音を検知して脈が消滅するまで全速力で腕帯部２内の空気袋１４を昇圧する。制御システム５６が脈の消失を判断したら腕帯部２内の空気袋１４の昇圧を停止する。
【００４７】
そして、少しずつ減圧（例えば２〜５ｍｍＨｇ／秒）していき、図１のスピーカ４３が腕帯部２内の空気袋１４を減圧時のカフ値毎に、例えば１０ｍｍＨｇ毎に圧力値を音声によりアナウンスし、最高血圧値だけを検出する。その後、図１のスピーカ４３は最高血圧値と脈拍数を音声によるガイドでアナウンスして、ポンプ４４，４５と排気バルブ４６を作動して腕帯部２内の空気袋１４を急排気する。これにより、最高血圧値と脈拍数を音声によるガイドでアナウンスしながら腕帯部２内を急排気することで、測定者の上腕に対する圧迫を即座に解消できるので、測定者への負担を軽減できる。
【００４８】
（最低血圧モードＭ３）
測定者は、断面矩形の筒状の部材に展開された腕帯部２内に、右の上腕を開口部１１Ｒから挿入する。その後、測定者が図１に示すモード選択ボタン３９を押して最低血圧モードＭ３を選択した場合には、測定者は図１の開始／停止ボタン３７を押して血圧測定を開始する。少しずつ昇圧（例えば２〜５ｍｍＨｇ／秒）していき、図１のスピーカ４３が腕帯部２内の空気袋１４を昇圧時のカフ値毎に、例えば１０ｍｍＨｇ毎に圧力値を音声アナウンスし、最低血圧値を検出する。その後、脈が消失したら昇圧を停止して、図３のスピーカ４３が最低血圧値を音声によるガイドでアナウンスをするとともに、ポンプ４４，４５と排気バルブ４６を作動して腕帯部２内の空気袋１４を急排気する。
以上説明したように、上述した本発明の実施形態１では、電子血圧計１の構造が簡単であるにもかかわらず、腕帯部の展開操作と腕帯部の収納操作が容易にしかも確実に行え、小型化を図ることができる。腕帯部には腕帯部形状復帰用部材が固定されているので、蓋部材を開けることで、腕帯部は上腕を挿入できる形状に確実に展開できる。
【００４９】
（実施形態２）
次に、図１１と図１２を参照して、本発明の電子血圧計の実施形態２を説明する。
図１１は、本発明の電子血圧計の実施形態２の腕帯部を用いて血圧測定する状態を示す斜視図である。図１２は、腕帯部の構成を示す断面を有する側面図である。
図１１と図１２に示す本発明の実施形態２の電子血圧計１Ｂの要素が、図１〜図６に示す本発明の実施形態１の電子血圧計１の要素と、実質的に同じ場合には、同じ符号を記してその説明に替える。
【００５０】
図１１と図１２に示す電子血圧計１Ｂが、図１〜図６に示す電子血圧計１と異なるのは、図２に示す腕帯部形状復帰用部材１５０に代えて、図１２に示すように、腕帯部形状復帰用部材としての腕帯部形状復帰用の補助空気袋５０１と、蓋部材２１が開いたことを検出する蓋部材開成検知部５００が配置されていることである。
図１２に示すように、この腕帯部形状復帰用の補助空気袋５０１は、例えば外布１６と内布１７の接合部分７７に内面にそれぞれ固定されている帯状の袋である。これらの腕帯部形状復帰用の補助空気袋５０１は、例えばポンプ４４に配管を介して接続されている。
【００５１】
図１２に示すように、蓋部材開成検知部５００は、ケース２０側に配置されており、ケース２０から蓋部材２１がＲ方向に開くと、蓋部材２１が開いたことを検知して、検知信号をＣＰＵ５６に送られる。これにより、ＣＰＵ５６はポンプ駆動部６２に駆動信号を与えて、ポンプ駆動部６２はポンプ４４を作動させと、２つの腕帯部形状復帰用の補助空気袋５０１内に空気が供給されるので、腕帯部２の断面矩形の形状は、図１１に示す復帰状態に復帰することができる。図示しないが、腕帯部２の形状が復帰した後、例えば空気袋１４に空気が供給され始めると、腕帯部形状復帰用の補助空気袋５０１からは空気を抜くような構造、例えば腕帯部形状復帰用の補助空気袋５０１には小さな空気を抜くための穴を有していることが望ましい。
【００５２】
上述した本発明の実施形態２では、電子血圧計１Ｂの構造が簡単であるにもかかわらず、腕帯部の展開操作と腕帯部の収納操作が容易にしかも確実に行え、小型化を図ることができる。また、蓋部材を開けたことを検知して腕帯部形状復帰用の補助空気袋に空気を送ることで、腕帯部は上腕を挿入できる形状に確実に展開できる。
本発明の実施形態の電子血圧計１，１Ｂでは、蓋部材がヒンジを介して開閉することで、ヒンジの付近にある腕帯部の１つの折り曲げ部分を基点として腕帯部を折り畳んだり、腕帯部２を断面矩形の開口部１１Ｒ、１１Ｐを有する形状に展開することができる。
【００５３】
ところで、本発明は上記実施形態に限定されず、種々の変形例を採用することができる。表示部３１は、例えば液晶表示装置の他に、有機ＥＬ装置、蛍光表示装置等、特に種類は限定されない。腕帯部２は断面矩形の開口部を有しているが、例えば断面円形の開口部を有するものであっても良い。
図１〜図６の示す本発明の実施形態１では、２つの帯状の腕帯部形状復帰用部材１５０が外布１６の表面側に接着剤を用いて固定されているが、これに限らず外布１６の表面側に１つあるいは３つ以上の腕帯部形状復帰用部材を固定しても良い。腕帯部形状復帰用部材１５０を腕帯部２に固定するための手段は、接着剤に限らず他の方法であっても良い。腕帯部形状復帰用部材１５０は、外布１６の表面側ではなく、外布１６の内面側、あるいは空気袋に固定しても良い。腕帯部形状復帰用部材は帯状に限らず、他の形状を採用することもできる。
さらに、腕帯部２の外面には、富士山や、玩具のクマさんのような子供の目を引く絵やキャラクタを描いたり、人体の測定部位に密接する内面は図５、図６で説明した形状でも、外側は、このようなキャラクタ等の外形を模した形状とすることもできる。
上述した本発明の実施形態では、電子血圧計は、血圧測定方式としてリバロッチ・コロトコフ法が用いられ、コロトコフ音（Ｋ音）を検出して血圧測定を行うようになっているが、圧脈波（オシロメトリック法）等の他の血圧測定方式を採用しても良い。
【符号の説明】
【００５４】
１・・・電子血圧計、２・・・腕帯部、１０・・・血圧計本体、１１Ｐ、１１Ｒ・・・開口部、１４・・・空気袋、１６・・・外布（外側部材の一例）、１７・・・内布（当接布部の一例）、２０・・・ケース、２１・・・蓋部材、３１・・・表示部、１５０・・・腕帯部形状復帰用部材、Ｔ・・・測定者の上腕
【図１】
0005470026.tif 000002
【図２】
0005470026.tif 000003
【図３】
0005470026.tif 000004
【図４】
0005470026.tif 000005
【図５】
0005470026.tif 000006
【図６】
0005470026.tif 000007
【図７】
0005470026.tif 000008
【図８】
0005470026.tif 000009
【図９】
0005470026.tif 000010
【図１０】
0005470026.tif 000011
【図１１】
0005470026.tif 000012
【図１２】
0005470026.tif 000013